(57)【特許請求の範囲】
【請求項１】
外壁の開口部に封止状態でパネルを取り付けるパネル取付用のガスケット構造であって、
前記パネルの端部が前記開口部に形成された取付溝に挿入され、
前記取付溝の一方側の縁部と前記パネルの一方側の面との隙間に挟み込まれて当該隙間を封止する第１封止部と、
前記取付溝の他方側の縁部と前記パネルの他方側の面との隙間に挟み込まれて当該隙間を封止する第２封止部と、
前記第１封止部と前記第２封止部との間に亘って前記取付溝の内面に沿う状態で当該取付溝に装着される凹状断面を有する薄板状の弾性部材で構成された本体部とを備え、
少なくとも前記第２封止部が、前記本体部とは別体の詰め部材で構成されていると共に、当該詰め部材が前記取付溝の内面に接する状態で前記隙間に圧入され、
前記取付溝に装着された前記本体部の前記第２封止部側の端部が、前記隙間に圧入された前記詰め部材に対して前記取付溝の内面に沿って連接する状態で前記取付溝の開口端よりも底部側に位置すると共に、
前記隙間に圧入された前記詰め部材における前記取付溝の底部側の面が当該本体部の前記第２封止部側の端部に当接することで、前記取付溝に装着された前記本体部の端部が前記取付溝の底部に向けて押圧されているパネル取付用のガスケット構造。
【請求項２】
前記第１封止部と前記本体部とが、一体のガスケット部材で構成され、
前記第２封止部が、前記ガスケット部材とは別体の詰め部材で構成されている請求項１に記載のパネル取付用のガスケット構造。
【請求項３】
前記本体部の外側に、外方に突出する突起部が形成され、
前記取付溝の底部に、前記本体部が前記取付溝に嵌め込まれた状態で前記突起部が内嵌される凹部が形成されている請求項１又は２に記載のパネル取付用のガスケット構造。
【発明の詳細な説明】
【技術分野】
【０００１】
本発明は、外壁の開口部に封止状態でパネルを取り付けるパネル取付用のガスケット構造に関する。
【背景技術】
【０００２】
外壁の開口部に板ガラスなどのパネルを取り付ける場合、そのパネルの外周端部の隙間には、封止状態を維持するためのガスケット構造が施される（例えば、特許文献１を参照。）。
特許文献１のガスケット構造では、パネルの端部が外壁の開口部に形成された取付溝に挿入された状態において、取付溝の屋外側の縁部とパネルの屋外側の面との隙間にはガスケット部材（特許文献１の雨除け材６，８）が挟み込まれると共に、取付溝の屋内側の縁部とパネルの屋内側の面との隙間には詰め部材（特許文献１の気密材７，９）が挟み込まれる状態で、これらガスケット部材や詰め部材がこれら隙間を封止する封止部として設けられている。
【０００３】
この種のガスケット構造において、取付溝の屋外側に設けられるガスケット部材は、一部の片部を取付溝からはみ出させる状態で位置決めされており、取付溝の内面に対して接着等により固定される。一方、取付溝の屋内側に設けられる詰め部材は、取付溝にパネルの端部が挿入された状態で、その取付溝とパネルとの間の隙間に圧入され、その取付溝の内面に形成された突起部に当接する状態で位置決め固定される。
【０００４】
また、従来のガスケット構造では、パネルの端部側には大気圧に維持されたパネル端部空間が設けられる場合がある。これにより、地震や風圧変化等によりパネルが振動した場合でも、パネル端部空間の圧力変動が抑制され、当該圧力変動に起因する雨水の侵入が防止されている。
【先行技術文献】
【特許文献】
【０００５】
【特許文献１】特開平０４−００７４４０号公報
【発明の概要】
【発明が解決しようとする課題】
【０００６】
従来のガスケット構造において、屋外側のガスケット部材に形成された位置決め用の片部は、パネルの外周端部の美観が損なわれないように、できるだけ小さいものが望ましい。しかし、ガスケット部材の位置決め用の片部を小さくしすぎると、ガスケット部材の位置決めを正確且つ簡単に行うことが困難となり、雨水等の浸入防止が十分に行えないなどの封止不良が発生する場合がある。
一方、屋内側の詰め部材については、それを位置決めするために、取付溝の内面に突起部が形成されている。しかしながら、例えば外壁がＰＣａ（プレキャストコンクリート）版で構成され、そのＰＣａ版に取付溝全体が形成されている場合には、ＰＣａ版の取付溝の内面に比較的微細な突起部を正確に形成することは困難となる。
【０００７】
また、従来のガスケット構造では、ガスケット部材や詰め部材の封止部と取付溝の内面との当接部分がパネル端部空間に露出された状態となる。よって、このパネル端部空間の封止状態を良好なものに維持するためには、その当接部分において封止部と取付溝の内面との密着性が重要となる。しかし、取付溝がＰＣａ版に形成されている場合には、取付溝の内面が比較的凹凸があるコンクリート表面であることから、封止部を十分に密着させることは困難となり、パネル端部空間の封止状態を良好なものに維持できない場合がある。
【０００８】
この実情に鑑み、本発明の主たる課題は、外壁の開口部に封止状態でパネルを取り付けるパネル取付用のガスケット構造において、封止部の位置決めを簡単且つ正確に行い、封止状態を良好なものに維持することができる技術を提供する点にある。
【課題を解決するための手段】
【０００９】
本発明の第１特徴構成は、
外外壁の開口部に封止状態でパネルを取り付けるパネル取付用のガスケット構造であって、
前記パネルの端部が前記開口部に形成された取付溝に挿入され、
前記取付溝の一方側の縁部と前記パネルの一方側の面との隙間に挟み込まれて当該隙間を封止する第１封止部と、
前記取付溝の他方側の縁部と前記パネルの他方側の面との隙間に挟み込まれて当該隙間を封止する第２封止部と、
前記第１封止部と前記第２封止部との間に亘って前記取付溝の内面に沿う状態で当該取付溝に装着される凹状断面を有する薄板状の弾性部材で構成された本体部とを備え、
少なくとも前記第２封止部が、前記本体部とは別体の詰め部材で構成されていると共に、当該詰め部材が前記取付溝の内面に接する状態で前記隙間に圧入され、
前記取付溝に装着された前記本体部の前記第２封止部側の端部が、前記隙間に圧入された前記詰め部材に対して前記取付溝の内面に沿って連接する状態で前記取付溝の開口端よりも底部側に位置すると共に、
前記隙間に圧入された前記詰め部材における前記取付溝の底部側の面が当該本体部の前記第２封止部側の端部に当接することで、前記取付溝に装着された前記本体部の端部が前記取付溝の底部に向けて押圧されている点にある。
【００１０】
本特徴構成によれば、外壁の開口部に形成された取付溝に装着された凹状断面を有する本体部の両端部が、取付溝の両縁部側の夫々においてパネルの面との隙間に挟み込まれた夫々の封止部に対して連接し、これら封止部によって取付溝の底部に向けて押圧される。すると、取付溝に装着された本体部が、取付溝の内面に沿って押し付けられた状態で安定した姿勢を維持することになり、その両端部が、取付溝の両縁部側の夫々において所望の位置に固定されることになる。
よって、取付溝の両縁部側の夫々において、パネルの面との隙間に挟み込まれる夫々の封止部は、その隙間に嵌め込んで所望の位置に固定された本体部の両端部の夫々に連接させるという簡単な構成により、正確に位置決めされることになる。
したがって、本発明により、夫々封止部の位置決めを簡単且つ正確に行い、封止状態を良好なものに維持できるパネル取付用のガスケット構造を提供することができる。
【００１１】
また、パネルの端部側に雨水等の侵入防止のためのパネル端部空間を設ける場合には、取付溝に装着された本体部が取付溝の内面に沿う状態で安定した姿勢で維持されているので、その本体部の内側に形成されるパネル端部空間を安定した状態に保つことができる。更に、取付溝の内面に沿う状態で装着される本体部の両端部を、取付溝の両縁部側に配置された夫々の封止部に密着させれば、その密着部により、本体部の内側に形成されたパネル端部空間に対して夫々の封止部と取付溝の内面との当接部分が露出又は連通するのを阻止することができる。このことにより、例えば取付溝が表面に凹凸があるＰＣａ版に形成されている場合でも、パネル端部空間の封止状態を良好なものに維持することができる。
【００１２】
本発明の第２特徴構成は、
前記第１封止部と前記本体部とが、一体のガスケット部材で構成され、
前記第２封止部が、前記ガスケット部材とは別体の詰め部材で構成されている点にある。
【００１３】
本特徴構成によれば、取付溝の一方側に設けられる第１封止部と本体部とが、一体のガスケット部材で構成されているので、当該ガスケット部材の本体部を取付溝に嵌め込むという簡単な作業だけで、当該ガスケット部材の第１封止部の位置決めと固定を行うことができる。また、取付溝の例えば屋内側に設けられる第２封止部が、ガスケット部材と別体の詰め部材で構成されているので、ガスケット部材を装着した取付溝に対して、詰め部材を装着する前に、容易にパネルを挿入することができる。
【００１４】
本発明の第３特徴構成は、
前記本体部の外側に、外方に突出する突起部が形成され、
前記取付溝の底部に、前記本体部が前記取付溝に嵌め込まれた状態で前記突起部が内嵌される凹部が形成されている点にある。
【００１５】
本特徴構成によれば、本体部の突起部を取付溝の凹部に内嵌させた状態で、本体部を取付溝の内面に沿った状態で保持することができる。また、その内側にパネル端部空間を設ける場合には、そのパネル端部空間を一層安定した状態に保つことができる。
【図面の簡単な説明】
【００１６】
【図１】パネルが取り付けられた外壁の状態を示す側断面図
【図２】パネル取付用のガスケット構造の側断面図
【図３】パネル取付用のガスケット構造の側断面図
【図４】別実施形態のパネル取付用のガスケット構造の側断面図
【発明を実施するための形態】
【００１７】
本発明に係るパネル取付用のガスケット構造の実施形態について、図面に基づいて説明する。
図１に示すように、本実施形態のパネル取付用のガスケット構造Ｘ１，Ｘ２は、外壁１の開口部１０に封止状態で板ガラスからなるパネル５を取り付けるためのものとして構成されている。
尚、屋外Ｏと屋内Ｉとを仕切る外壁１は、鉛直方向において所定間隔で配置された状態で建物の躯体３に固定されるＰＣａ（プレキャストコンクリート）版２と、上下に配置されたＰＣａ版２の間に形成された開口部１０に取り付けられるパネル５とでカーテンウォールとして構成されている。
【００１８】
この開口部１０において、上部に配置されたＰＣａ版２の下端面１１と、下部に配置されたＰＣａ版２の上端面１５との夫々には、パネル５の端部が嵌め込まれる取付溝１２，１６が形成されている。そして、ガスケット構造Ｘ１，Ｘ２は、この開口部１０の上下に形成された取付溝１２，１６に対してパネル５の端部を嵌め込んだ状態において、そのパネル５の上下端部の隙間の封止状態を維持するために設けられている。
尚、本実施形態では、パネル５の上端部が嵌め込まれる上部取付溝１２には、上部ガスケット構造Ｘ１が設けられており、一方、パネル５の下端部が嵌め込まれる下部取付溝１６には、下部ガスケット構造Ｘ２が設けられている。また、詳細な説明は割愛するが、パネル５の両側端部は、開口部１０において鉛直方向に架設された方立４に対して封止状態で装着されている。
以下、夫々のガスケット構造Ｘ１，Ｘ２の詳細構成について、図２及び図３に基づいて説明する。
【００１９】
先ず、上部ガスケット構造Ｘ１の詳細構成について、図２に基づいて説明する。
尚、図２（ａ）及び図２（ｂ）は、開口部１０の上部に設けられる上部取付溝１２に対する上部ガスケット構造Ｘ１の各種部材並びにパネル５の上端部の装着状態を示す側断面図であり、図２（ｃ）は、装着後の上部ガスケット構造Ｘ１の側断面図である。
【００２０】
図２（ａ）に示すように、開口部１０の上部に配置されたＰＣａ版２の下端面１１には、略台形断面を有し水平方向（図２における奥行き方向）に延出する上部取付溝１２が形成されている。
また、この上部取付溝１２の底部には円筒状の凹部１３が水平方向において一定間隔で複数箇所に形成されている。
【００２１】
図２（ｃ）に示すように、上部ガスケット構造Ｘ１は、後述する第１封止部Ａ１と第２封止部Ａ２と本体部Ｂとを備えて構成されており、パネル５の上端部が上部取付溝１２に挿入された状態において、パネル５の上端部と上部取付溝１２の内面との間の隙間に設けられることで、当該隙間を封止状態とする。
【００２２】
上部ガスケット構造Ｘ１の第１封止部Ａ１は、上部取付溝１２の屋外Ｏ側の縁部とパネル５の屋外Ｏ側の面との隙間に挟み込まれて当該隙間を封止する部位として構成されており、一方、上部ガスケット構造Ｘ１の第２封止部Ａ２は、上部取付溝１２の屋内Ｉ側の縁部とパネル５の屋内Ｉ側の面との隙間に挟み込まれて当該隙間を封止する部位として構成されている。
これら第１封止部Ａ１及び第２封止部Ａ２は、上部取付溝１２とパネル５との間の隙間の幅よりも若干厚めに形成された弾性部材で構成されており、当該隙間に圧入（圧縮状態で挿入）されている。
【００２３】
一方、上部ガスケット構造Ｘ１の本体部Ｂは、これら第１封止部Ａ１と第２封止部Ａ２との間に亘って上部取付溝１２の内面に沿う状態で当該上部取付溝１２に装着される凹状断面を有する部位として構成されている。
この本体部Ｂは、上部取付溝１２の内面に沿った薄板状の弾性部材で構成されている。
また、この本体部Ｂの上面には、上方に突出する略円柱状の突起部２３が形成されており、本体部Ｂが上部取付溝１２に嵌め込まれた状態で、この突起部２３が上部取付溝１２の底部に形成された凹部１３に内嵌され固定される。
【００２４】
すると、本体部Ｂは、上部取付溝１２の内面に沿った状態で保持され、その内側にはパネル端部空間２８が安定した状態で保持されることになる。
尚、このパネル端部空間２８は、地震や風圧変化等によりパネル５が振動した場合でも、パネル５の端部側に形成されたパネル端部空間２８の圧力変動に起因する雨水の侵入を防止するために、このパネル端部空間２８は、別の箇所において屋外Ｏと連通しており、大気圧に維持されている。
【００２５】
このような構成により、上部取付溝１２に装着された上部ガスケット構造Ｘ１の本体部Ｂの両端部は、上部取付溝１２の両縁部側の夫々に設けられた第１封止部Ａ１及び第２封止部Ａ２に対して連接し、これら夫々の封止部Ａ１，Ａ２によって上部取付溝１２の底部に向けて押圧される。すると、本体部Ｂは、上部取付溝１２の内面に沿って押し付けられた状態で安定した姿勢を維持することになり、その本体部Ｂの両端部が、上部取付溝１２の両縁部側の夫々において所望の位置に固定されることになる。
よって、上部取付溝１２の両縁部側の夫々において、パネル５の面との隙間に挟み込まれる夫々の封止部Ａ１，Ａ２は、その隙間に嵌め込んで所望の位置に固定された本体部Ｂの両端部の夫々に連接させるという簡単な構成により、正確に位置決めされることになる。
【００２６】
尚、この上部ガスケット構造Ｘ１では、第１封止部Ａ１及び本体部Ｂは、エチレンプロピレンゴム（ＥＰＤＭ）やシリコーンゴムなどのゴムからなる一体のガスケット部材２０で構成されている。一方、第２封止部Ａ２は、同様のゴムからなり、当該ガスケット部材２０とは別体の詰め部材２５で構成されている。このことにより、上部取付溝１２に対する上部ガスケット構造Ｘ１の施工が簡素化されており、その施工手順について以下に説明を加える。
【００２７】
図２（ａ）に示すように、ガスケット部材２０は、第１封止部Ａ１として機能するガスケット部２１と、そのガスケット部２１の外側から延出して本体部Ｂとして機能する基部２２とからなる。そして、このガスケット部材２０は、パネル５が未だ嵌め込まれていない上部取付溝１２に対して、基部２２を上側に位置させると共にガスケット部２１を下側且つ屋外Ｏ側に位置させる姿勢で装着される。
【００２８】
すると、上部取付溝１２に装着されたガスケット部材２０は、図２（ｂ）に示すように、基部２２の上面から上方に突出形成された突起部２３を、上部取付溝１２の底部に形成された凹部１３に内嵌させることで、上部取付溝１２に固定される。その状態で、ガスケット部材２０の基部２２の内側に形成される溝部に対して、パネル５の上端部が挿入される。
【００２９】
次に、図２（ｃ）に示すように、上部取付溝１２の屋内Ｉ側の縁部とパネル５の屋内Ｉ側の面との隙間には、詰め部材２５が圧入されて、当該隙間が封止状態となる。この詰め部材２５は、ガスケット部材２０における基部２２の屋内Ｉ側の端部２２ａに当接する状態で位置決めされる。
更に、この詰め部材２５の表面側の窪みにはシリコーン製のシール材２６が充填されることで、詰め部材２５の脱落が防止され、良好な封止状態が確保されている。
【００３０】
次に、下部ガスケット構造Ｘ２の詳細構成について、図３に基づいて説明する。
尚、図３（ａ）及び図３（ｂ）は、開口部１０の下部に設けられる上部取付溝１６に対する下部ガスケット構造Ｘ２の各種部材並びにパネル５の下端部の装着状態を示す側断面図であり、図３（ｃ）は、装着後の下部ガスケット構造Ｘ２の側断面図である。
また、以下の説明において、上部ガスケット構造Ｘ１と同様の構成については説明を割愛する場合がある。
【００３１】
図３（ａ）に示すように、開口部１０の下部に配置されたＰＣａ版２の上端面１５には、屋外Ｏ側が高く屋内Ｉ側が低い略Ｌ状断面を有し水平方向（図３における奥行き方向）に延出する段部１６ａが形成されており、この段部１６ａの屋内Ｉ側に、図３（ｃ）に示すように、パネル押縁部材３７が設けられることで、略台形断面を有し水平方向に延出する下部取付溝１６が形成されることになる。即ち、下部取付溝１６のうちの屋内Ｉ側の側壁部が、着脱自在なパネル押縁部材３７で構成されていることになる。
また、この下部取付溝１６の底部には円筒状の凹部１７が水平方向において一定間隔で複数箇所に形成されている。
【００３２】
図３（ｃ）に示すように、下部ガスケット構造Ｘ２についても、上述の上部ガスケット構造Ｘ１と同様に、第１封止部Ａ１と第２封止部Ａ２と本体部Ｂとを備えて構成されており、パネル５の下端部が下部取付溝１６に挿入された状態において、パネル５の下端部と下部取付溝１６の内面との間の隙間に設けられることで、当該隙間を封止状態とする。
このような構成により、下部取付溝１６に装着された下部ガスケット構造Ｘ２の本体部Ｂの両端部は、下部取付溝１６の両縁部側の夫々に設けられた第１封止部Ａ１及び第２封止部Ａ２に対して連接し、これら夫々の封止部Ａ１，Ａ２によって下部取付溝１６の底部に向けて押圧される。すると、本体部Ｂは、下部取付溝１６の内面に沿って押し付けられた状態で安定した姿勢を維持することになり、その本体部Ｂの両端部が、下部取付溝１６の両縁部側の夫々において所望の位置に固定されることになる。
よって、下部取付溝１６の両縁部側の夫々において、パネル５の面との隙間に挟み込まれる夫々の封止部Ａ１，Ａ２は、その隙間に嵌め込んで所望の位置に固定された本体部Ｂの両端部の夫々に連接させるという簡単な構成により、正確に位置決めされることになる。
【００３３】
尚、この下部ガスケット構造Ｘ２についても、第１封止部Ａ１及び本体部Ｂは、エチレンプロピレンゴム（ＥＰＤＭ）やシリコーンゴムなどのゴムからなる一体のガスケット部材３０で構成されている。一方、第２封止部Ａ２は、同様のゴムからなり、当該ガスケット部材３０とは別体の詰め部材３５で構成されている。このことにより、下部取付溝１６に対する下部ガスケット構造Ｘ２の施工が簡素化されており、その施工手順について以下に説明を加える。
【００３４】
図３（ａ）に示すように、ガスケット部材２０は、第１封止部Ａ１として機能するガスケット部３１と、そのガスケット部３１の外側から延出して本体部Ｂとして機能する基部３２とからなる。そして、このガスケット部材３０は、パネル押縁部材３７が装着されておらずパネル５が未だ嵌め込まれていない段部１６ａに対して、基部３２を下側に位置させると共にガスケット部３１を上側且つ屋外Ｏ側に位置させる姿勢で装着される。
【００３５】
すると、段部１６ａに装着されたガスケット部材３０は、図３（ｂ）に示すように、基部３２の下面から下方に突出形成された突起部３３を、段部１６ａの底部（低い側の部位）に形成された凹部１７に内嵌させることで、段部１６ａに固定される。更に、基部３２の内側には、パネル５の下端部を支持する台部材７０が載置される。その状態で、ガスケット部材３０の基部３２の内側に形成される溝部に対して、パネル５の下端部が挿入され、パネル５の下端部が台部材７０の上面に載置される。
【００３６】
次に、図３（ｃ）に示すように、段部１６ａの屋内Ｉ側に、略長方形断面を有し水平方向に延出するパネル押縁部材３７が装着されることで、上端面１５に下部取付溝１６が形成され、その下部取付溝１６に、ガスケット部材３０が装着された状態となる。
そして、下部取付溝１６の屋内Ｉ側の縁部（即ち、パネル押縁部材３７のパネル５側の面部）とパネル５の屋内Ｉ側の面との隙間には、詰め部材３５が圧入されて、当該隙間が封止状態となる。この詰め部材３５は、ガスケット部材３０における基部３２の屋内Ｉ側の端部３２ａに当接する状態で位置決めされる。
更に、この詰め部材３５の表面側の窪みにはシリコーン製のシール材３６が充填されることで、詰め部材３５の脱落が防止され、良好な封止状態が確保される。
【００３７】
また、本体部Ｂとして機能する基部３２は、下部取付溝１６の内面に沿った状態で保持され、その内側にはパネル端部空間３８が安定した状態で保持される。このパネル端部空間３８は、上部ガスケット構造Ｘ１のパネル端部空間２８（図２（ｃ）参照）と同様に、大気圧に維持されており、当該パネル端部空間３８の圧力変動に起因する雨水の侵入が防止されている。
【００３８】
また、パネル押縁部材３７の上面には、結露受け凹部３７ａが形成されており、パネル５の内面で発生し落下する結露水がこの結露受け凹部３７ａで確実に受け止められることになる。
【００３９】
〔別実施形態〕
（１）
上記実施形態では、ガスケット構造Ｘ１，Ｘ２において、第１封止部Ａ１と本体部Ｂとを一体のガスケット部材２０，３０で構成し、このガスケット部材２０，３０に対して第２封止部Ａ２を別体の詰め部材２５，３５で構成したが、第１封止部Ａ１、第２封止部Ａ２、及び本体部Ｂとを夫々別体に構成しても構わない。
以下、このように構成された上部ガスケット構造Ｘ３の詳細構成について、図４に基づいて説明する。
【００４０】
上部ガスケット構造Ｘ３は、パネル５の上端部が上部取付溝１２に挿入された状態においてパネル５の上端部と上部取付溝１２の内面との間の隙間に設けられて当該隙間を封止状態とするものとして設けられている。
そして、上部ガスケット構造Ｘ３については、本体部Ｂは、エチレンプロピレンゴム（ＥＰＤＭ）やシリコーンゴムなどのゴムからなる基部材４２で構成されている。一方、第１封止部Ａ１及び第２封止部Ａ２は、同様のゴムからなり、当該基部材４２とは別体の詰め部材４１，４４で構成されている。
更に、基部材４２の上面には、上方に突出する略円柱状の突起部４３が形成されており、基部材４２が上部取付溝１２に嵌め込まれた状態で、この突起部４３が上部取付溝１２の底部に形成された凹部１３に内嵌されることで、基部材４２は、上部取付溝１２の内面に沿った状態で保持されている。
【００４１】
そして、上部取付溝１２に装着された上部ガスケット構造Ｘ３の基部材４２の両端部４２ａ，４２ｂは、上部取付溝１２の両縁部側の夫々に設けられた詰め部材４１，４４に対して連接し、これら夫々の詰め部材４１，４４によって上部取付溝１２の底部に向けて押圧される。すると、基部材４２は、上部取付溝１２の内面に沿って押し付けられた状態で安定した姿勢を維持することになり、その基部材４２の両端部４２ａ，４２ｂが、上部取付溝１２の両縁部側の夫々において所望の位置に固定されることになる。
よって、上部取付溝１２の両縁部側の夫々において、パネル５の面との隙間に圧入される詰め部材４１，４４は、その隙間に嵌め込んで所望の位置に固定された基部材４２の両端部４２ａ，４２ｂの夫々に連接させるという簡単な構成により、正確に位置決めされることになる。
尚、これら詰め部材４１，４４の表面側の窪みには、上記実施形態と同様に、シリコーン製のシール材４５，４６が充填され、詰め部材４１，４４の脱落が防止され、良好な封止状態が確保されている。
【００４２】
（２）
上記実施形態では、取付溝１２，１６において、第１封止部Ａ１と本体部Ｂとを一体化したガスケット部材２０，３０を屋外Ｏ側に設け、第２封止部Ａ２として機能する詰め部材２５，３５を屋内Ｉ側に設けたが、逆に、ガスケット部材２０，３０を屋内Ｉ側に設け、詰め部材２５，３５を屋外Ｏ側に設けても構わない。
【００４３】
（３）
上記実施形態では、外壁１をＰＣａ（プレキャストコンクリート）版２からなるカーテンウォールとして構成したが、本発明に係るガスケット構造は、例えばアルミニウムなどの金属を利用した金属製のカーテンウォールや、カーテンウォール以外の壁構造などのように、他の形態の外壁にも適用可能である。
また、上記実施形態では、外壁１に取り付けるパネル５を板ガラスとしたが、本発明に係るガスケット構造は、板ガラス以外の他の素材のパネルにも適用可能である。
【００４４】
（４）
上記実施形態では、ガスケット部材２０，３０や詰め部材２５，３５の材質を、エチレンプロピレンゴム（ＥＰＤＭ）やシリコーンゴムなどのように、作業性が良好な比較的硬度が小さいゴムとしたが、例えばクロロプレンゴムなどの他のゴムを利用しても構わない。
【符号の説明】
【００４５】
１        ：外壁
５        ：パネル
１０      ：開口部
１２      ：上部取付溝（取付溝）
１３      ：凹部
１６      ：下部取付溝（取付溝）
１７      ：凹部
２０      ：ガスケット部材
２１      ：ガスケット部（第１封止部）
２２      ：基部（本体部）
２３      ：突起部
２５      ：詰め部材（第２封止部）
３０      ：ガスケット部材
３１      ：ガスケット部（第１封止部）
３２      ：基部（本体部）
３３      ：突起部
３５      ：詰め部材（第２封止部）
４１      ：詰め部材（第１封止部）
４２      ：基部材（本体部）
４３      ：突起部
４４      ：詰め部材（第２封止部）
Ａ１      ：第１封止部
Ａ２      ：第２封止部
Ｂ        ：本体部
Ｘ１      ：上部ガスケット構造（ガスケット構造）
Ｘ２      ：下部ガスケット構造（ガスケット構造）
Ｘ３      ：上部ガスケット構造（ガスケット構造）
【図１】
0006522290.tif 000002
【図２】
0006522290.tif 000003
【図３】
0006522290.tif 000004
【図４】
0006522290.tif 000005